(57)【特許請求の範囲】
【請求項１】
装置本体に対して開閉可能な開閉部材を有する開閉装置において、
前記開閉部材に、突出部を有する係止部を設け、
前記装置本体に、センサ部と該センサ部を作動させるレバー部材と該レバー部材を装置本体の一部に付勢するねじりコイルバネとを有する検知手段を設け、
前記係止部の前記突出部は、前記開閉部材を閉じる際に前記レバー部材を押し下げて該レバー部材と前記装置本体の一部との間に入り込み、前記レバー部材と前記装置本体の一部との間に挟持されることを特徴とする開閉装置。
【請求項２】
前記係止部が前記レバー部材と装置本体とに挟持される際、または前記挟持状態を解除される際に、前記ねじりコイルバネの付勢により微少抵抗が生ずることを特徴とする請求項１記載の開閉装置。
【請求項３】
前記開閉部材を閉じた状態で、前記係止部と前記レバー部材の接点及び前記係止部と装置本体の接点とを結ぶ線と、前記ねじりコイルバネによる付勢方向とが略一直線上に位置するよう構成したことを特徴とする請求項１記載の開閉装置。
【請求項４】
画像形成手段を有する装置本体に対して開閉可能な開閉部材を有する開閉装置において、請求項１乃至請求項３のいずれか１項に記載の開閉装置を備えたことを特徴とする画像形成装置。
【発明の詳細な説明】
【０００１】
【発明の属する技術分野】
本発明は装置本体に対して開閉可能な開閉部材を有する開閉装置及び該開閉機構を有する画像形成装置に関する。
【０００２】
【従来の技術】
画像形成装置等にあっては、消耗部品の交換やシートのジャム（紙詰まり）処理のために、装置本体のカバーを開閉可能としているのが一般的である。このような従来の画像形成装置の開閉機構の一例を図６乃至図９を参照して説明する。尚、図６は開閉可能なアクセスカバーが閉まっている状態の説明図であり、図７はアクセスカバーが開いている状態の説明図、図８は図６のＡ−Ａ断面説明図であり、図９は図６のＢ- Ｂ断面説明図である。
【０００３】
この画像形成装置は、図６及び図７に示すように、装置本体50に対して開閉部材としてのアクセスカバー51が開閉可能に設けられている。そして、図８に示すように、アクセスカバー51を閉じることにより、アクセスカバー51に一体的に成形されている突出部52にセンサーレバー53が押下されセンサー54をオフにしている。
【０００４】
また、アクセスカバー51が開くことにより、センサーレバー53はねじりコイルバネ55によって、センサー54から抜ける方向に付勢されているため、矢印Ｃの方向に回転してセンサー54はオンとなる。
【０００５】
このセンサー54のオン、オフによりアクセスカバー51の開閉を検知している。また、これらの装置ではアクセスカバー51の開閉が確認し易いように、開閉時に微少抵抗を発生させる、いわゆるクリック感を生じさせるようにしているが、このクリック感は、図９に示すように、アクセスカバー51に一体的に設けられた突出部56の凸部56ａが、装置本体50を覆うメインカバー57に設けられた凹部57ａにはまり込むことにより発生させている。
【０００６】
【発明が解決しようとする課題】
しかしながら、上記構成においては、アクセスカバー51やメインカバー57のような大物の樹脂成形部品は、寸法のばらつきが大きく、アクセスカバー51の凸部56ａとメインカバー57の凹部57ａの噛み合わせが浅くなってクリック感が弱くなったり、逆に噛み合わせが深くなりすぎたためにクリック感が強くなり過ぎたりと、アクセスカバー51の開閉時のクリック感の管理が難しかった。
【０００７】
本発明は、上記課題に鑑みてなされたものであり、その目的は、構造簡単にしてクリック感の管理が容易な開閉装置及びこれを有する画像形成装置を提供するものである。
【０００８】
【課題を解決するための手段】
上記目的を達成するための本発明に係る代表的な構成は、装置本体に対して開閉可能な開閉部材を有する開閉装置において、前記開閉部材に、突出部を有する係止部を設け、前記装置本体に、センサ部と該センサ部を作動させるレバー部材と該レバー部材を装置本体の一部に付勢するねじりコイルバネとを有する検知手段を設け、前記係止部の前記突出部は、前記開閉部材を閉じる際に前記レバー部材を押し下げて該レバー部材と前記装置本体の一部との間に入り込み、前記レバー部材と前記装置本体の一部との間に挟持されることを特徴とする。
【０００９】
上記構成にあっては、検出手段によって係止部を挟持する付勢力を管理することで開閉部材のクリック感を容易に管理することができる。また、開閉部材の開閉を検出する検出手段によって開閉部材の係止部を挟持するために、新たな部品を増加することなく、簡単な構成によってクリック感の管理が可能となる。
【００１０】
【発明の実施の形態】
次に本発明に係る開閉装置を用いたインクジェット記録方式の画像形成装置に用いた一実施形態を、図１乃至図５を参照して具体的に説明する。尚、図１はインクジェット記録装置のアクセスカバーを開いた状態の斜視説明図であり、図２はアクセスカバーを閉じた状態の斜視説明図、図３はアクセスカバーを閉じた状態の側断面説明図であり、図４はアクセスカバーが開いた状態の側断面説明図、図５はアクセスカバーの係止構成の拡大説明図である。
【００１１】
まず、この記録装置の全体構成を概略説明すると、図１及び図２に示すように、自動給送手段を有する給送トレイ１にセットしたシートを搬送ローラ２及び図示しないピンチローラで搬送し、画像形成手段３によって所定画像を記録した後、排出ローラ４及び拍車５によって装置前方へ排出するものである。尚、本実施形態における画像形成手段３はインクカートリッジを搭載したキャリッジをシート幅方向へ往復移動させ、その間に記録ヘッドからから画信号に応じたインクを吐出して記録を行うインクジェット記録方式を用いている。
【００１２】
上記記録装置は、装置本体６の一部であるメインカバー７に対し、開閉部材としてのアクセスカバー８が回動して開閉可能になっており、インクカートリッジの交換やシートのジャム処理に際しては図１に示すようにアクセスカバー８を開き、処理後に図２に示すように該カバー７を閉じるものである。そして、前記アクセスカバー８の開閉状態を検出手段によって検出可能になっている。
【００１３】
次に、前記アクセスカバー８の係止構成及び開閉状態の検出手段の構成について説明する。
【００１４】
図３及び図４に示すように、アクセスカバー８の回動側端部には係止部８ａが突設されており、装置本体６には前記アクセスカバー８の開閉状態を検出する検出手段９が設けられている。この検出手段９はレバー部材10が軸11を中心に回動可能に取り付けられ、該レバー部材10の一方端側にはセンサ部としてのタクトスイッチ12が電装基板13に取り付けられ、このタクトスイッチ12をレバー部材10が押すとスイッチオンし、前記押しつけがなくなるとスイッチオフするように構成されている。また、前記軸11にはねじりコイルバネで構成した付勢手段としての付勢バネ14が取り付けられており、レバー部材10を図３の時計回り方向（タクトスイッチ12を押圧する方向）に付勢している。
【００１５】
また検出手段９はアクセスカバー８を閉じたときの係止部８ａと対向する位置に設けられており、アクセスカバー８を閉じると係止部８ａの突出部８ｂがレバー部材10の回動端部を押し下げ、レバー部材10とメインカバー７の間に入り込むようになっている。即ち、図３に示すように、アクセスカバー８を閉じた状態にあっては係止部８ａがレバー部材10とメインカバー７によって挟持され、且つ付勢バネ14の付勢力によって係止状態が保持される。このとき、レバー部材10の他方側端部はタクトスイッチ12から浮くようになり、該スイッチ12の押圧がなくなるためにスイッチオフする。一方、図４に示すように、アクセスカバー８を開くと、係止部８ａによるレバー部材10の押し下げがなくなるために、該レバー部材10がタクトスイッチ12を押しつけ、スイッチオンする。これによって、アクセスカバー８の開閉状態を検出可能となっている。
【００１６】
また、前記アクセスカバー８を閉じるとき（係止部８ａがレバー部材10とメインカバー７の間に入り込むとき）及びアクセスカバー８を開くとき（係止部８ａがレバー部材10とメインカバー７の間から抜け出るとき）は、それぞれ付勢バネ14の付勢力によって微少抵抗があり、これによって所謂クリック感を生ずるようになっている。
【００１７】
前記微少抵抗（クリック感）の大きさは付勢バネ14のバネ力を変えることによって変更可能であり、アクセスカバー８やメインカバー７の寸法にばらつきがあってもクリック感に影響を与えない。このため、クリック感の管理を容易に行うことが可能である。
【００１８】
また、本実施形態にあっては図５に示すように、アクセスカバー８を閉じた状態で、係止部８ａの突出部８ｂとレバー部材10の接点ａ及び前記突出部８ｂとメインカバー７の接点ｂとを結ぶ線は、付勢バネ14によるレバー部材10の付勢方向Ｌとが略一直線上になるように構成されている。このため、クリープによる樹脂成形部品の変形が抑えられ、安定したクリック感を得ることができるものである。
【００１９】
尚、前述した実施形態では開閉装置を用いた装置としてインクジェット記録装置を例示したが、これは画像形成手段はインクジェット記録方式に限定する必要はなく、他の熱転写記録方式や電子写真記録方式等を用いてもよく、さらには記録装置のみならず、装置本体に対して開閉部材を開閉可能な装置、例えば読取装置等にあっても好適に用いることが可能である。
【００２０】
【発明の効果】
本発明は前述のように構成したために、検出手段によって係止部を挟持する付勢力を管理することで開閉部材のクリック感を容易に管理することができる。また、開閉部材の開閉を検出する検出手段によって開閉部材の係止部を挟持するために、新たな部品を増加することなく、簡単な構成によってクリック感の管理が可能となる。
【図面の簡単な説明】
【図１】インクジェット記録装置におけるアクセスカバーを開いた状態の斜視説明図である。
【図２】アクセスカバーを閉じた状態の斜視説明図である。
【図３】アクセスカバーを閉じた状態の側断面説明図である。
【図４】アクセスカバーが開いた状態の側断面説明図である。
【図５】アクセスカバーの係止構成の拡大説明図である。
【図６】開閉可能なアクセスカバーが閉まっている状態の説明図である。
【図７】アクセスカバーが開いている状態の説明図である。
【図８】図６のＡ−Ａ断面説明図である。
【図９】図６のＢ- Ｂ断面説明図である。
【符号の説明】
１    …給送トレイ
２    …搬送ローラ
３    …画像形成手段
４    …排出ローラ
５    …拍車
６    …装置本体
７    …メインカバー
８    …アクセスカバー
８ａ  …係止部
８ｂ  …突出部
９    …検出手段
10    …レバー部材
11    …軸
12    …タクトスイッチ
13    …電装基板
14    …付勢バネ
【図１】
0003869937.tif 000002
【図２】
0003869937.tif 000003
【図３】
0003869937.tif 000004
【図４】
0003869937.tif 000005
【図５】
0003869937.tif 000006
【図６】
0003869937.tif 000007
【図７】
0003869937.tif 000008
【図８】
0003869937.tif 000009
【図９】
0003869937.tif 000010